(57)【特許請求の範囲】
【請求項１】
上面側にカメラ固定用ねじを有するカメラ取付け体と、
このカメラ取付け体の前記カメラ固定用ねじの略下方位置に配置されたサイドティルト軸とを備え、
前記カメラ取付け体は、前記サイドティルト軸にて支持され、このサイドティルト軸を中心とした回動調節により、上面が左側方を向く左サイドティルト姿勢および上面が右側方を向く右サイドティルト姿勢に設定可能な構成とされている
ことを特徴とする雲台。
【請求項２】
脚装置に連結されるベース体と、
このベース体に設けられ、左右水平方向の回動中心軸線を中心として回動調節可能な回動体と、
この回動体に設けられ、この回動体と一体となって回動するサイドティルト軸と、
このサイドティルト軸に設けられ、上面側にカメラ固定用ねじを有し前記サイドティルト軸の軸方向に一致した前後水平方向の回動中心軸線を中心として回動調節可能なカメラ取付け体とを備え、
前記カメラ取付け体は、このカメラ取付け体の前記回動中心軸線が前記ベース体の左右方向の長さの中心を通る鉛直面内に位置するように配置され、回動調節により上面が左側方を向く左サイドティルト姿勢および上面が右側方を向く右サイドティルト姿勢に設定可能な構成とされ、
前記サイドティルト軸は、カメラ取付け体の前記カメラ固定用ねじの略下方位置に配置されている
ことを特徴とする雲台。
【請求項３】
サイドティルト軸と同軸上に配設されこのサイドティルト軸に対して進退可能なサイドティルトロックノブと、
このサイドティルトロックノブの進出時には、カメラ取付け体に圧着してこのカメラ取付け体の回動を規制するとともに、前記サイドティルトロックノブの後退時には、前記カメラ取付け体との圧着が解除されてこのカメラ取付け体の回動を許容するストッパ体とを備えた
ことを特徴とする請求項１または２記載の雲台。
【請求項４】
サイドティルト軸の軸方向の長さ寸法は、カメラ取付け体の前後方向の長さ寸法と略等しい寸法に設定され、
前記カメラ取付け体は、前記サイドティルト軸に嵌合した軸嵌合部が下面側に形成されている
ことを特徴とする請求項１ないし３のいずれかに記載の雲台。
【発明の詳細な説明】
【０００１】
【発明の属する技術分野】
本発明は、カメラ用三脚等の脚装置に取り付けて使用する雲台に関する。
【０００２】
【従来の技術】
従来、例えば、図７に示す雲台、或いは、図８に示す雲台等が知られている。
【０００３】
まず、図７の雲台は、ベース体１に回動調節可能に取り付けられたティルト回動体２を備えているとともに、このティルト回動体２のサイドティルト軸３に軸支されたカメラ取付け体４を備えており、このカメラ取付け体４には、径大な頭部５を有するねじ６が取り付けられている。
【０００４】
そして、この図７の雲台では、ベース体１の上面とカメラ取付け体４の下面との間の空間７に手を入れ、ねじ６の頭部５を摘み操作し、ねじ６の先端側をカメラ（図示せず）の裏面の螺合孔に螺合させ、カメラをカメラ取付け体４に取り付ける。
【０００５】
一方、図８の雲台は、ベース体１に回動調節可能に取り付けられたティルト回動体２を備えているとともに、このティルト回動体２のサイドティルト軸３に軸支されたクイックシュータイプのカメラ取付け体4aを備えた構成が採られている。
【０００６】
そして、この図８の雲台では、カメラ取付け体4aから一旦取り外したカメラ台4bをカメラ10の裏面に固定してから、このカメラ台4bをカメラ取付け体4aのもとの位置に装着することによって、カメラ10をカメラ取付け体4aにワンタッチで取り付けることができる。なお、図８の雲台では、ベース体１とカメラ取付け体4aとの間に何ら部材が配置されておらず、比較的広い空間7aが存在するが、この空間7aは何ら活用されていない。
【０００７】
しかしながら、上記図７および図８に示す構成の雲台は、カメラ取付け体４，4aを、左サイドティルト姿勢には設定できるが、右サイドティルト姿勢に設定しようとすると、カメラ取付け体４，4a自体がベース体１と干渉するため、右サイドティルト姿勢には設定できない問題を有している。
【０００８】
そこで、カメラ取付け体を左サイドティルト姿勢および右サイドティルト姿勢のいずれにも設定可能な雲台として、例えば、図９に示す構造の雲台が知られている。
【０００９】
この図９の雲台は、ベース体１に回動調節可能に取り付けられたティルト回動体２を備えているとともに、このティルト回動体２の支持板部2aから前方に向って突出したサイドティルト軸３に軸支されたカメラ取付け体４を備えている。このカメラ取付け体４には、径大な頭部５を有するねじ６が取り付けられているとともに、サイドティルト用操作ハンドル８が取り付けられている。
【００１０】
そして、この図９の雲台では、サイドティルト用操作ハンドル８を対応するハンドル取付け孔部９に取り付け、適宜に操作することで、カメラ取付け体４を左サイドティルト姿勢に設定したり、右サイドティルト姿勢に設定したりできる。
【００１１】
【発明が解決しようとする課題】
しかしながら、上記従来の図９に示す構成の雲台は、ティルト回動体２の支持板部2aの前面に前後水平方向のサイドティルト軸３を前方に向って突出形成し、この前方に向って突出したサイドティルト軸３にカメラ取付け体４を取り付けた構成であるので、雲台上部前側に空間が存在せず、雲台の携帯時等の非使用時に、雲台を十分にコンパクトにできない問題を有している。
【００１２】
本発明は、このような点に鑑みなされたもので、携帯時等の非使用時に十分にコンパクトにでき、かつ、カメラ取付け体を左サイドティルト姿勢および右サイドティルト姿勢のいずれにも設定できる雲台を提供することを目的とする。
【００１３】
【課題を解決するための手段】
請求項１記載の雲台は、上面側にカメラ固定用ねじを有するカメラ取付け体と、このカメラ取付け体の前記カメラ固定用ねじの略下方位置に配置されたサイドティルト軸とを備え、前記カメラ取付け体は、前記サイドティルト軸にて支持され、このサイドティルト軸を中心とした回動調節により、上面が左側方を向く左サイドティルト姿勢および上面が右側方を向く右サイドティルト姿勢に設定可能な構成とされているものである。
【００１４】
そして、この構成では、サイドティルト軸をカメラ取付け体のカメラ固定用ねじの略下方位置に配置した構成であるため、雲台上部前側に空間が存在するので、携帯時等の非使用時に十分にコンパクトにでき、かつ、カメラ取付け体を左サイドティルト姿勢および右サイドティルト姿勢のいずれにも設定可能である。
【００１５】
請求項２記載の雲台は、脚装置に連結されるベース体と、このベース体に設けられ、左右水平方向の回動中心軸線を中心として回動調節可能な回動体と、この回動体に設けられ、この回動体と一体となって回動するサイドティルト軸と、このサイドティルト軸に設けられ、上面側にカメラ固定用ねじを有し前記サイドティルト軸の軸方向に一致した前後水平方向の回動中心軸線を中心として回動調節可能なカメラ取付け体とを備え、前記カメラ取付け体は、このカメラ取付け体の前記回動中心軸線が前記ベース体の左右方向の長さの中心を通る鉛直面内に位置するように配置され、回動調節により上面が左側方を向く左サイドティルト姿勢および上面が右側方を向く右サイドティルト姿勢に設定可能な構成とされ、前記サイドティルト軸は、カメラ取付け体の前記カメラ固定用ねじの略下方位置に配置されているものである。
【００１６】
そして、この構成では、サイドティルト軸をカメラ取付け体のカメラ固定用ねじの略下方位置に配置した構成であるため、雲台上部前側に空間が存在するので、携帯時等の非使用時に十分にコンパクトにでき、かつ、カメラ取付け体を左サイドティルト姿勢および右サイドティルト姿勢のいずれにも設定可能である。
【００１７】
請求項３記載の雲台は、請求項１または２記載の雲台において、サイドティルト軸と同軸上に配設されこのサイドティルト軸に対して進退可能なサイドティルトロックノブと、このサイドティルトロックノブの進出時には、カメラ取付け体に圧着してこのカメラ取付け体の回動を規制するとともに、前記サイドティルトロックノブの後退時には、前記カメラ取付け体との圧着が解除されてこのカメラ取付け体の回動を許容するストッパ体とを備えたものである。
【００１８】
そして、この構成では、サイドティルトロックノブを進退させることにより、カメラ取付け体の姿勢を変更設定でき、操作性に優れ、また、サイドティルトロックノブをサイドティルト軸と同軸上に配設したので、コンパクト性を適切に確保可能である。
【００１９】
請求項４記載の雲台は、請求項１ないし３のいずれかに記載の雲台において、サイドティルト軸の軸方向の長さ寸法は、カメラ取付け体の前後方向の長さ寸法と略等しい寸法に設定され、前記カメラ取付け体は、前記サイドティルト軸に嵌合した軸嵌合部が下面側に形成されているものである。
【００２０】
そして、この構成ではカメラ取付け体は、サイドティルト軸に軸嵌合部を嵌合することでサイドティルト軸に容易に取り付けることができる。
【００２１】
【発明の実施の形態】
以下、本発明の雲台の一実施の形態の構成を図面を参照して説明する。
【００２２】
図１ないし図５は、基準状態にある雲台11の全体を示し、この雲台11は、例えば、カメラ用三脚等の脚装置12の上端部に形成された雲台取付け部13に取り付け、図示しないカメラを保持するもので、この雲台11の機能により、脚装置12を固定させたままで、被写体の位置等に応じてカメラレンズを上下左右のいずれの向きにも設定できる。
【００２３】
この雲台11は、図５に示されるように、下端部を径大にした略円柱形状の脚連結部材15を有し、この脚連結部材15の底面には連結孔としてのねじ孔16が形成され、このねじ孔16に脚装置12の雲台取付け部13の図示しない雄ねじが螺入されている。また、この脚連結部材15のパン軸部（図示せず）の外周面側には、回動体としてのパン回動体17が、パン軸部（図示せず）の中心軸線に一致した上下方向である鉛直方向の回動中心軸線Ｙを中心として回動調節可能に取り付けられている。
【００２４】
このパン回動体17は、一側部である右側部には下面が開放した円筒形状の一方の連結部18が形成され、この一方の連結部18が脚連結部材15のパン軸部（図示せず）の外周面に嵌合した状態で回動可能に連結されている。また、このパン回動体17の他側部である左側部には略円柱形状のティルト軸部等の他方の連結部19が形成され、この他方の連結部19の外周面側に回動体としてのティルト回動体21が、連結部19の中心軸線に一致した左右水平方向の回動中心軸線Ｘを中心として回動調節可能に取り付けられている。なお、パン回動体17および脚連結部材15にてベース体20が構成され、このベース体20に脚装置12の上端部が取り外し可能に連結されている。
【００２５】
このティルト回動体21は、パン回動体17の連結部19の外周面に回動可能に嵌合した略筒形状の基体部22を有し、この基体部22の下部が円弧状に形成され、上部には両端面が開口した略円筒形状のハンドル連結孔23が形成されている。このハンドル連結孔23の一方の開口部23aが、図２に示されるように、基体部22の平面状の一側面である後面25の上部位置に開口形成され、雲台11の後方斜め下に向って開口しており、ハンドル連結孔23の他方の開口部23bが、基体部22の反対側の平面状の他側面である前面26の上部位置に開口形成され、雲台11の前方斜め上に向って開口している。なお、基体部22の互いに平行の前後面25，26の各下端が、半円弧状の曲面である下面27の両端に連続している。
【００２６】
また、この基体部22のハンドル連結孔23には、操作ハンドル体としてのパンハンドル31の基端部が挿入されて回動可能に連結され、このパンハンドル31の基端部を除く部分がティルト回動体21の後面25側から所定方向、すなわち、基準状態にある雲台11の後方斜め下に向って突出している。
【００２７】
このパンハンドル31は、ティルト回動体21の回動中心軸線Ｘと交差する方向に沿って長手方向を有する断面円形の細長棒状に形成されており、先端部には把持部材32が固着されている。そして、パンハンドル31は、把持部材32を把持して、パンハンドル31の周方向に自転的に回動操作することにより、ティルト回動体21をパン回動体17に対して固定したり、固定解除したりすることができる。また、パンハンドル31は、把持部材32を把持して、基端側を中心として先端側が上下移動、左右移動するように公転的に回動操作することにより、ティルト回動体21を回動中心軸線Ｘを中心として上下前後に回動できるとともに、パン回動体17を回動中心軸線Ｙを中心としてティルト回動体21とともに水平左右に回動できる。
【００２８】
また、ティルト回動体21は、図２に示されるように、基体部22の上部側つまり基体部22のハンドル連結孔23の近傍部分から上方に向って突出するとともに、基体部22の一側面である右側面29から側方である雲台11の右側方を向って突出した突出部33を有しており、この突出部33と基体部22とは一体に形成されている。
【００２９】
この突出部33は、図３および図４に示されるように、長さの短い略かまぼこ形状の連結部35を有し、この連結部35の断面形状は、下部に水平の一辺を有する切欠き円形形状に形成されている。この連結部35の長さ方向の一端面は、上端から下端に向って雲台11の前方に徐々に傾斜した傾斜面36とされており、この連結部35の傾斜面36と基体部22の前面26とが同一面上に位置し、これらの傾斜面36および前面26にて平坦面37が形成されている。このティルト回動体21の平坦面37は、パンハンドル31の軸方向である長手方向と直交した状態に配置されている。
【００３０】
また、この突出部33の一部をなす連結部35の長さ方向の他端面は、上下方向に沿った鉛直面38とされ、この鉛直面38には、図６に示されるように、円筒状の取付け部としての支軸部39が一体に突出形成されている。なお、連結部35の鉛直面38における支軸部39内方の位置には、螺合孔40が形成されている。また、支軸部39の先端部にはこの支軸部39と同軸上に円筒状の拡開部材48が固着され、これら一体とされた支軸部39と拡開部材48とでサイドティルト軸30が構成されている。
【００３１】
そして、このサイドティルト軸30の外周面側には、図示しないカメラを支持するカメラ取付け体41が、サイドティルト軸30の中心軸線、すなわち、前後水平方向の回動中心軸線Ａを中心として所定範囲、例えば１８０度の範囲内で回動調節可能に取り付けられており、このカメラ取付け体41はサイドティルト軸30に回動可能に支軸されている。
【００３２】
すなわち、この略矩形板形状のサイドティルト体であるカメラ取付け体41は、図２および図３に示すように、このカメラ取付け体41の回動中心軸線Ａがベース体20の左右方向の長さの中心を通る鉛直面内に位置するように配置、すなわち回動中心軸線Ａがベース体20の左右方向中心線Ｂと平面視で略一致するように配置され、回動調節により左サイドティルト姿勢および右サイドティルト姿勢を含む所定の姿勢に設定可能な構成とされている。
【００３３】
なお、左サイドティルト姿勢（左縦位置姿勢）とは、カメラ取付け体41が雲台11の左側に倒されて、カメラ取付け体41の上面が雲台11の左側方を向き、カメラ取付け体41上の直方体状のカメラの長手方向が上下方向に一致した姿勢である。また、右サイドティルト姿勢（右縦位置姿勢）とは、カメラ取付け体41が雲台11の右側に倒されて、カメラ取付け体41の上面が雲台11の右側方を向き、カメラ取付け体41上の直方体状のカメラの長手方向が上下方向に一致した姿勢である。カメラ取付け体41がサイドティルトされていない姿勢が横位置姿勢であり、この横位置姿勢ではカメラの長手方向が左右水平方向に一致している。
【００３４】
また、ベース体20の左右方向中心線Ｂとは、パン回動体17および脚連結部材15にて形成されたベース体20の左右方向の長さの中心点、つまり、左右両端からの距離が等しい点を結んだ線である。なお、回動中心軸線Ａと中心線Ｂとが平面視で略一致する場合とは、回動中心軸線Ａと中心線Ｂとが平面視で完全に一致する場合も含む意味である。
【００３５】
そして、このカメラ取付け体41は、例えば、クイックシュータイプのサイドティルト台42、このサイドティルト台42をティルト回動体21に固定、固定解除する際に操作するサイドティルト軸30に対して進退可能な操作体としてのサイドティルトロックノブ43等にて構成されている。
【００３６】
このサイドティルト台42は、下部に両端面が開口した略円筒形状の軸嵌合部としての嵌合連結部45が形成され、上部に略矩形板状の受け台部46が形成されており、これら嵌合連結部45と受け台部46とは一体の構成とされている。
【００３７】
このサイドティルト台42の嵌合連結部45の内周側一側には、図６に示すように、ティルト回動体21の突出部33の支軸部39が挿入されて回動可能に嵌合しており、この支軸部39の先端部が嵌合連結部45の内面に環状に形成された段部47に当接して位置決めされている。
【００３８】
この嵌合連結部45の内周側他側には、略円筒形状のコレット等の弾性変形可能な拡開部材48が嵌入され、この略円筒形状の拡開部材48の軸方向の一端部である外端縁部に略截頭円錐形状のコーン等のストッパ体としての可動部材49が装着されている。
【００３９】
この可動部材49は、外周面にはテーパ状の押圧面50が形成され、中心側には突出部33の支軸部39の軸方向に貫通した挿通孔51が形成されており、この挿通孔51内および嵌合連結部45の内周側にサイドティルトロックノブ43の軸部52が挿通され、このサイドティルトロックノブ43の軸部52の先端のねじ部53が突出部33の連結部35の螺合孔40に螺合している。なお、拡開部材48の一端面である外端面は、可動部材49の押圧面50に対応したテーパ状、すなわち内方に向って縮径したテーパ状の被押圧面48aにて形成されている。また、拡開部材48の軸方向の他端部である内端縁部は対向した支軸部39の先端部に固着されている。サイドティルトロックノブ43の軸部52は、サイドティルト軸30と同軸上に配置されている。
【００４０】
そして、サイドティルトロックノブ43の摘み部54を摘み、一の方向である締付け方向に回動操作すると、このサイドティルトロックノブ43とともに可動部材49が所定方向、すなわち、図６中、左方に向って移動、すなわち、ティルト回動体21に対して進出する。
【００４１】
すると、可動部材49の押圧面50で拡開部材48の対応するテーパ状の被押圧面48aが外方に向って押圧され、この拡開部材48の軸方向の一方側が拡開し、その結果、拡開部材48の外周面とサイドティルト台42の嵌合連結部45の内周面とが圧着（可動部材49が拡開部材48を介してサイドティルト台42に圧着）し、サイドティルト台42がティルト回動体21のサイドティルト軸30にサイドティルトロックノブ43を介して固定され、サイドティルト台42のサイドティルト軸30に対する回動が規制されたロック状態となる。
【００４２】
一方、サイドティルトロックノブ43の摘み部54を摘み、他の方向である締付け解除方向に回動操作すると、このサイドティルトロックノブ43とともに可動部材49が所定方向、すなわち、図６中、右方に向って移動、すなわち、ティルト回動体21に対して後退する。
【００４３】
すると、可動部材49の押圧面50による押圧が解除され、この拡開部材48がもとの形状に復帰し、その結果、拡開部材48の外周面とサイドティルト台42の嵌合連結部45の内周面との圧着状態（可動部材49とサイドティルト台42との圧着状態）が解かれ、サイドティルト台42のティルト回動体21に対する回動が許容される状態となる。なお、サイドティルトロックノブ43、可動部材49等によって、サイドティルト台42とティルト回動体21とを固定する固定手段55が構成されている。
【００４４】
また、サイドティルト台42の受け台部46は、上面側に収納凹部56が形成されており、この収納凹部56内に、この収納凹部56に対応する略矩形板状に形成されたシュー等のカメラ台57が嵌合により着脱自在に装着されて収納されている。
【００４５】
この収納されたカメラ台57は、中央位置に上下方向に軸方向を有するカメラ固定用ねじとしてのねじ59が取り付けられており、受け台部46の支軸58にて回動可能に軸支されたカムレバー60によってサイドティルト台42に対して固定されている。カムレバー60を支軸58を支点として所定方向に回動操作することにより、カメラ台57とサイドティルト台42との固定を解除できる。なお、カメラ台57をサイドティルト台42に固定する場合、図示しないカメラの裏面に取り付けたカメラ台57をサイドティルト台42の収納凹部56内に上方から押し込むことのみによって、このカメラ台57をサイドティルト台42に固定できるため、カムレバー60の回動操作は不要であり、ワンタッチでカメラを雲台11に装着できる。なお、サイドティルト軸30は、カメラ固定用ねじとしてのねじ59の略下方位置で、雲台11の前後方向に沿って配置されており、サイドティルト軸30の軸方向の長さ寸法はカメラ取付け体41のサイドティルト台42の前後方向の長さ寸法と略等しい寸法に設定されている。
【００４６】
次に、上記構成の雲台をカメラ用三脚である脚装置に取り付け、カメラ撮影をする場合について説明する。
【００４７】
サイドティルト台42から取り外したカメラ台57を図示しないカメラの裏面にねじ59を用いて取り付けた後、このカメラ台57をサイドティルト台42の収納凹部56内に押し込んで嵌合させて、カメラを雲台11に装着する。
【００４８】
次いで、サイドティルトロックノブ43を回動操作して、サイドティルト台42とティルト回動体21との固定状態を解除した後、被写体に応じて、カメラを手で押さえながら、このカメラとともにサイドティルト台42をサイドティルト軸30の軸方向に一致した前後水平方向の回動中心軸線Ａ、すなわち、サイドティルト軸30の軸心を通る直線である前後水平方向の回動中心軸線Ａを中心として所定方向に回動させ、カメラを横位置姿勢、右縦位置姿勢または左縦位置姿勢に設定する。
【００４９】
また、パンハンドル31を回動操作することで、ティルト回動体21およびパン回動体17を回動調節するとともに、一方で、カメラ用三脚の脚の開き角度および長さの調節、３本の脚の軸支部に上下動可能に設けられた支柱の高さ調節等を行う。こうして、カメラレンズの向きを被写体に応じた所定の向きに設定し、その後、カメラのシャッタをきる。
【００５０】
ここで、例えば、図１の実線で示すように、カメラが横位置姿勢となるようにサイドティルト台42を設定した状態時において、ティルト回動体21の一方向（図１中、反時計回り）への回動調節により、パンハンドル31の長手方向と脚装置12の長手方向とが交差状、すなわち、パンハンドル31の長手方向に沿った回動中心軸線Ｚとパン回動体17の回動中心軸線Ｙとが所定角度をもって交差状（例えば、図１に示すように側面からみて所定角度α＝６０度）とされ、カメラ取付け体41が第１の位置である所定の使用位置に設定されたとする。
【００５１】
この場合、カメラ取付け体41の全部が、ベース体20の上方位置からパンハンドル31の突出側の一側方である雲台11の後方に向って所定距離だけずれた位置に位置している。すなわち、図１の実線で示すように、側面からみて、カメラ取付け体41の前端位置とベース体20のパン回動体17の回動中心軸線Ｙとは、所定距離Ｌ1だけ離れている。
【００５２】
また、カメラ取付け体41の少なくとも一部、例えば上側半分が、ティルト回動体21の上端部分21aより高い位置に位置しており、カメラの撮影高さが確保されている。すなわち、ティルト回動体21の基体部22に突出部33を上方に向けて突出形成したため、ベース体20の下端位置を基準としたカメラ取付け体41のカメラ台57の高さ距離が、図７に示す従来の雲台に比べて、突出部33の突出量に対応した分だけ大きく、つまり、雲台11の伸びが大きく、これにより、カメラの撮影高さを十分に確保できる。
【００５３】
そして、この状態で、カメラ撮影を行い、その後、撮影終了して、カメラを雲台11から取り外し、図１の２点鎖線で示すように、ティルト回動体21の他の方向（図１中、時計回り）への回動調節により、パンハンドル31の長手方向と脚装置12の長手方向とが平行状、すなわち、パンハンドル31の長手方向に沿った回動中心軸線Ｚとパン回動体17の回動中心軸線Ｙとが平行とされ、カメラ取付け体41が第２の位置である所定の非使用位置に設定されたとする。
【００５４】
この場合、カメラ取付け体41の全体が、ベース体20の上方位置からパンハンドル31の突出側の一側方である雲台11の後方に向って所定距離だけずれた位置に位置している。すなわち、図１の２点鎖線で示すように、側面からみて、カメラ取付け体41の前端位置とベース体20のパン回動体17の回動中心軸線Ｙとは、所定距離Ｌ2（＞Ｌ1）だけ離れている。例えば、所定距離Ｌ2は、所定距離Ｌ1の略２倍の長さである。
【００５５】
また、カメラ取付け体41の全部が、ティルト回動体21の上端部分となっている平坦面37より、突出することなく、低い位置に位置し、これにより、雲台11全体がコンパクトとなり、雲台11を取り付けたカメラ用三脚の長さ寸法が短くなる。
【００５６】
このように、上記雲台11によれば、パンハンドル31を用いたティルト回動体21の回動調節により、ティルト回動体21の突出部33に取り付けたカメラ取付け体41の少なくとも一部をティルト回動体21の上端部分より高い位置に位置させたり、カメラ取付け体41の全部をティルト回動体21の上端部分より低い位置に位置させたりできるので、図７に示す従来の雲台等と比べて、使用時には十分な撮影高さを確保でき、かつ、非使用時には十分にコンパクトできる。
【００５７】
よって、例えば、被写体の高さに適切に対応できるばかりでなく、雲台11のみを、或いは、雲台11を三脚等の脚装置に取り付けた状態のまま、バックに収納する場合等に、図７に示す従来の構成に比べて、簡単に収納でき、携帯性を向上できる。また、雲台11のみを、或いは、雲台を三脚に取り付けたまま、部屋の中に置いておく場合等に、図７に示す従来の構成に比べて、その置き場所に制限を受けにくい。
【００５８】
また、パンハンドル31をティルト回動体21の突出部33の平坦面37に直交した状態に配置したので、パンハンドル31の長手方向と脚装置12の長手方向とを平行状にすると、ティルト回動体21の突出部33の平坦面37が脚装置12の長手方向の一端面（図１では上面）となるので、例えば、この雲台11の平坦面37をバックの内面に当接させることで、雲台11を三脚等の脚装置に取り付けた状態のまま、バック内にすっきりと収納できる。
【００５９】
また一方、カメラ取付け体41をクイックシュータイプとすることで創成された空間にサイドティルト軸30を配設してカメラ取付け体41の59ねじの略下方位置に配置した構成であり、かつ、カメラ取付け体41のサイドティルト台42の回動中心軸線Ａをベース体20の左右方向中心線Ｂと平面視で略一致させた構成であるので、取り付けるカメラの種類等に応じて、カメラ取付け体41のサイドティルト台42を左サイドティルト姿勢および右サイドティルト姿勢のいずれにも設定でき、かつ、雲台11の上部前側に空間が存在するので携帯時等の非使用時に十分にコンパクトにできる。
【００６０】
よって、例えば、カメラに付属しているストロボ光の発光位置がカメラの左右いずれの位置にあっても、そのストロボ光の発光位置をカメラレンズよりも常に上に配置でき、適切に撮影できる。ストロボ光の発光位置がカメラレンズよりも下になると、背景に大きな影が写りこんでしまう等の不具合が生じるおそれがある。
【００６１】
また、サイドティルトロックノブ43を進退させ、カメラ取付け体41を回動調節することにより、カメラ取付け体41の姿勢を左サイドティルト姿勢から右サイドティルト姿勢へと、或いは、右サイドティルト姿勢へ左サイドティルト姿勢へと、簡単に変更できるため、例えばカメラ取付け体41の姿勢変更に際してハンドルの付け替え等を要する構成等に比べて、操作性が良好である。
【００６２】
なお、上記実施の形態においては、雲台11は、カメラ用三脚に取り付ける場合について説明したが、例えば、１本脚のスタンド、或いは、４本以上の脚からなる脚装置等にも適用しても、使用時には十分な高さを確保でき、かつ、非使用時には十分にコンパクトできる。
【００６３】
また、雲台11で保持するカメラには、ビデオカメラのほか、カメラに準ずる測定装置等も含まれる。
【００６４】
【発明の効果】
請求項１記載の発明によれば、サイドティルト軸をカメラ取付け体のカメラ固定用ねじの略下方位置に配置した構成であるため、雲台上部前側に空間が存在するので、携帯時等の非使用時に十分にコンパクトにでき、かつ、カメラ取付け体を左サイドティルト姿勢および右サイドティルト姿勢のいずれにも設定できる。
【００６５】
請求項２記載の発明によれば、サイドティルト軸をカメラ取付け体のカメラ固定用ねじの略下方位置に配置した構成であるため、雲台上部前側に空間が存在するので、携帯時等の非使用時に十分にコンパクトにでき、かつ、カメラ取付け体を左サイドティルト姿勢および右サイドティルト姿勢のいずれにも設定できる。
【００６６】
請求項３記載の発明によれば、サイドティルトロックノブを進退させることにより、カメラ取付け体の姿勢を変更設定でき、操作性に優れ、また、サイドティルトロックノブをサイドティルト軸と同軸上に配設したので、コンパクト性を適切に確保できる。
【００６７】
請求項４記載の発明によれば、カメラ取付け体は、サイドティルト軸に軸嵌合部を嵌合することでサイドティルト軸に容易に取り付ることができ、組立て性が良い。
【図面の簡単な説明】
【図１】本発明の雲台の一実施の形態を示す左側面図である。
【図２】同上雲台の後面図である
【図３】同上雲台の平面図である。
【図４】同上雲台の斜め前方からみた斜視図である。
【図５】同上雲台の斜め後方からみた斜視図である。
【図６】同上雲台の一部を示す拡大断面図である、
【図７】従来の雲台を示す左側面図である。
【図８】従来の雲台を示す左側面図である。
【図９】従来の雲台を示す左側面図である。
【符号の説明】
11    雲台
12    脚装置
20    ベース体
21    回動体としてのティルト回動体
30    サイドティルト軸
41    カメラ取付け体
43    サイドティルトロックノブ
45    軸嵌合部としての嵌合連結部
49    ストッパ体としての可動部材
59    カメラ固定用ねじ
Ｘ    左右水平方向の回動中心軸線
Ａ    前後水平方向の回動中心軸線
【図１】
0003540993.tif 000002
【図２】
0003540993.tif 000003
【図３】
0003540993.tif 000004
【図４】
0003540993.tif 000005
【図５】
0003540993.tif 000006
【図６】
0003540993.tif 000007
【図７】
0003540993.tif 000008
【図８】
0003540993.tif 000009
【図９】
0003540993.tif 000010